(57)【要約】【課題】複雑な構成を必要とすることなく、簡易な作業でフィルタに付着した塵埃を除去することができる電気掃除機を提供する。【解決手段】集塵室３４を形成し掃除機本体１１に着脱可能に設けられた集塵部（集塵容器）２６と、集塵室３４に負圧を作用させるべく掃除機本体１１に設けられた電動送風機１９と、電動送風機１９と集塵室３４との間の位置で集塵室３４に露出しつつ集塵室３４を閉成するように集塵部２６に設けられ山部分３９と谷部分４０とが交互に隣接するように蛇腹状に折り畳まれたフィルタ３８とを備える電気掃除機１０である。掃除機本体１１には、フィルタ３８により閉成された状態の集塵部２６が掃除機本体１１から取り外されることに伴って、フィルタ３８の各山部分３９を叩く叩き部４５が設けられている。【選択図】図２
2007325854.tif 000002
【特許請求の範囲】
【請求項１】
集塵室を形成し掃除機本体に着脱可能に設けられた集塵部と、前記集塵室に負圧を作用させるべく前記掃除機本体に設けられた電動送風機と、該電動送風機と前記集塵室との間の位置で該集塵室に露出しつつ前記集塵室を閉成するように前記集塵部に設けられ山部分と谷部分とが交互に隣接するように蛇腹状に折り畳まれたフィルタとを備える電気掃除機であって、
前記掃除機本体には、前記フィルタにより閉成された状態の前記集塵部が前記掃除機本体から取り外されることに伴って、前記フィルタの各山部分を叩く叩き部が設けられていることを特徴とする電気掃除機。
【請求項２】
前記掃除機本体が水平面上に設置された状態において、
前記集塵部は、前記集塵室に露出する前記フィルタが上流側に傾倒する状態を保ちつつ前記掃除機本体に着脱可能とされ、前記叩き部は、前記フィルタの裏面側から前記フィルタを叩くことを特徴とする請求項１に記載の電気掃除機。
【発明の詳細な説明】
【技術分野】
【０００１】
本発明は、空気と共に吸い込んだ塵埃を集塵する集塵室が、電気掃除機本体に着脱可能に設けられた集塵部により形成された電気掃除機に関する。
【背景技術】
【０００２】
従来の電気掃除機には、集塵室を形成する集塵部が電気掃除機本体に着脱可能に設けられ、集塵室に負圧を作用させる電動送風機が電気掃除機本体に設けられ、電動送風機と集塵室との間の位置で集塵室に露出するように集塵部に設けられ蛇腹状に折り畳まれたフィルタを備えるものがある。このものでは、フィルタが集塵部に対して着脱可能とされ、フィルタに沿って移動可能なブラシがフィルタに取り付けられているものがあり、フィルタを集塵部から取り外した後、手でブラシをフィルタに沿って移動させてフィルタに付着した塵埃を掻き取ることにより、フィルタに付着した塵埃を除去することができる（例えば、特許文献１参照）。
【特許文献１】特開２００５−２６１５１８号公報（第１−９頁、第１図）
【発明の開示】
【発明が解決しようとする課題】
【０００３】
しかしながら、上記した電気掃除機では、フィルタに付着した塵埃を除去するために、集塵部を電気掃除機本体から取り外し、この集塵部からフィルタを取り外し、ブラシをフィルタに沿って手で移動させる必要があることから、３つの作業工程が必要である。
【０００４】
また、ブラシをフィルタに設ける構成であることから部品点数の増加を招くと共に、ブラシがフィルタに沿って移動可能にフィルタに設けられていることからブラシの移動をガイドするガイド部材が必要であり複雑な構成とされている。
【０００５】
そこで、本発明の目的は、複雑な構成を必要とすることなく、簡易な作業でフィルタに付着した塵埃を除去することができる電気掃除機を提供することにある。
【課題を解決するための手段】
【０００６】
上記した課題を解決するために、この発明は、集塵室を形成し掃除機本体に着脱可能に設けられた集塵部と、前記集塵室に負圧を作用させるべく前記掃除機本体に設けられた電動送風機と、該電動送風機と前記集塵室との間の位置で該集塵室に露出しつつ前記集塵室を閉成するように前記集塵部に設けられ山部分と谷部分とが交互に隣接するように蛇腹状に折り畳まれたフィルタとを備える電気掃除機であって、前記掃除機本体には、前記フィルタにより閉成された状態の前記集塵部が前記掃除機本体から取り外されることに伴って、前記フィルタの各山部分を叩く叩き部が設けられていることを特徴とする。
【発明の効果】
【０００７】
本発明に係る電気掃除機によれば、電気掃除機本体からの集塵部の取り外しに伴ってフィルタの各山部分が叩き部により叩かれる構成であることから、フィルタに付着した塵埃の除去のためだけの作業をすることなく、フィルタから塵埃を除去することができる。
【０００８】
また、電気掃除機本体からの集塵部の取り外しに伴う電気掃除機本体に対するフィルタの移動を利用して叩き部にフィルタの各山部を叩かせることから、簡易な構成でフィルタからの塵埃の除去を可能とすることができる。
【発明を実施するための最良の形態】
【０００９】
以下、この発明に係る電気掃除機の実施の形態である実施例を図面に基づいて説明する。
【実施例】
【００１０】
図１は、本発明に係る電気掃除機１０を示す模式的な斜視図であり、図２は、図１に記載したＩ−Ｉ線に沿って得られた掃除機本体１１の模式的な部分断面図である。
【００１１】
電気掃除機１０は、掃除機本体１１と、この掃除機本体１１の吸込接続口１２に一端が着脱自在に接続されその他端には手元操作管１３が設けられている集塵ホース１４と、手元操作管１３に着脱自在に接続された延長管１５と、延長管１５の先端部に着脱自在に接続された吸込口体１６と、掃除機本体１１から引き出し可能とされ先端に電源プラグ１７ａが設けられた電源コード１７とを備えている。手元操作管１３には操作部１３ａが設けられており、この操作部１３ａには複数の操作スイッチ１３ｂが設けられている。
【００１２】
吸込口体１６には、その底面に塵埃を吸引する図示しない吸込開口（塵埃吸込口）を有する吸込室（図示せず）が形成されており、この吸込室は延長管１５および集塵ホース１４を介して掃除機本体１１の吸込接続口１２に連通している。
【００１３】
掃除機本体１１は、図２に示すように、全体に箱形状を呈する本体ケース１８と電動送風機１９とを備えている。本体ケース１８の前側（図２において左側）の底部には、旋回輪２０が旋回可能かつ回転可能に取り付けられている。本体ケース１８の後側の両側には、本体ケース１８の進行方向前側および後側に沿って回転可能な一対の走行輪２１がそれぞれ取り付けられている。この旋回輪２０および走行輪２１により、掃除機本体１１が被掃除面、例えば床面上を走行可能とされている。
【００１４】
本体ケース１８の前側には、図３に示すように、上端に着脱開口２３を有する容器収容室２２が形成されている。容器収容室２２の内側壁面２２ａには、ガイド溝２４が設けられている。ガイド溝２４は、容器収容室２２の後端上側壁（３１）と平行に延在されており（図３参照）、後述する集塵容器２６のガイド突条２７の嵌入が可能とされている。
【００１５】
本体ケース１８の後側の上面には、図２に示すように、掃除機本体１１の持ち運びを容易なものとする本体把持部２８が回動自在に設けられている。また、本体ケース１８の後側には電動送風機１９が設けられており、この電動送風機１９の前側、すなわち容器収容室２２側へ向けて延在する円筒状の接続風路部２９が連通されている。接続風路部２９は、前端に前面開口３０を有し、この前面開口３０で容器収容室２２に連通し、電動送風機１９の吸込み風路を構成する。
【００１６】
前面開口３０は、掃除機本体１１を水平面上に設置したとすると、上端部が上流方向に傾斜しており、格子部材３１が配置されている。
【００１７】
本体ケース１８の前側には、ホース案内管３２が設けられている。ホース案内管３２は、容器収容室２２の前方に位置し、集塵ホース１４の一端が装着可能とされた吸込接続口１２と容器収容室２２とを連通している。ホース案内管３２は、容器収容室２２に集塵容器２６が挿着されると、後述する集塵容器２６の吸込開口３５と吸込接続口１２とを連通するようになっている。
【００１８】
本体ケース１８の前側には、後述する集塵容器２６の固定手段３３の係合爪３３ａに係合可能な係合凹所１８ａが形成されている。
【００１９】
容器収容室２２に挿着される集塵容器２６は、図４ないし図６に示すように、全体に容器収容室２２に適合する形状を呈し、内側に集塵室３４（図２参照）を備えている。
【００２０】
集塵容器２６は、本体ケース１８の容器収容室２２に収容された状態において、後端上側壁２６ａが本体ケース１８の前面開口３０に配置された格子部材３１に近接位置で沿うように、鉛直方向よりも上流側に傾斜する面に沿って形成されている。
【００２１】
また、集塵容器２６には、容器収容室２２に収容された状態（図１参照）で見て、前壁部２６ｂに吸込開口３５が設けられ、後端上側壁２６ａに排出口３６（図２および図５参照）が設けられている。このため、集塵室３４は、吸込開口３５または排出口３６を経て外部へと連通している。
【００２２】
さらに、集塵容器２６が掃除機本体１１の容器収容室２２に挿着されると、吸込開口３５は、吸込接続口１２に装着された集塵ホース１４の一端に連通されるようになっており、排出口３６は、格子部材３１が配置された前面開口３０に連通されるようになっている。図２に示すように、集塵室３４に第１フィルタ３７と、第２フィルタ３８とが設けられている。
【００２３】
第１フィルタ３７は、網目部材からなり、集塵室３４の略中央で集塵室３４を第１集塵室部３４ａと第２集塵室部３４ｂとに区画するように設けられている。このため、吸込開口３５を経て空気と共に第１集塵室部３４ａに取り込まれた塵埃が第２集塵室部３４ｂに侵入することが略防止される。
【００２４】
第２フィルタ３８は、表面積を大きくするために山部分３９と谷部分４０とが交互に隣接するように蛇腹状に折り畳まれて形成されている。第２フィルタ３８は、後端上側壁２６ａの排出口３６に取り付けられており、表面３８ａが集塵室３４に露出している（図２参照）。なお、ここでは、集塵室３４に露出する表面３８ａ側に突起する個所を谷部分４０とする。
【００２５】
本実施例では、第２フィルタ３８は、全体に略一定の厚さ寸法で排出口３６が存在する面に沿う板形状を呈しており、各山部分３９が略等しい面上に位置しかつ各谷部分４０が略等しい面上に位置し、両面が前面開口３０の位置する面と平行とされている。また、第２フィルタ３８は、集塵容器２６が本体ケース１８に対して抜き差しされる方向（着脱方向（図２矢印Ｐ参照））に沿って各山部分３９および各谷部分４０が交互に隣接するように、すなわち各山部分３９の稜線が本体ケース１８に対する集塵容器２６の抜き差しされる方向と直交するように、集塵容器２６に取り付けられている。第２フィルタ３８は、第１フィルタ３７を通過して第２集塵室部３４ｂに侵入した空気に含まれる細塵を捕獲する。
【００２６】
集塵容器２６の前側には、固定手段３３が設けられている。固定手段３３は、前方向に付勢されて集塵容器２６の前側から突出された係合爪３３ａと、固定解除ボタン３３ｂとを有する。固定手段３３は、固定解除ボタン３３ｂが押されると平時において突出された係合爪３３ａを内方に引き戻すように構成されている。固定手段３３は、係合爪３３ａが本体ケース１８の前側に設けられた係合凹所１８ａに嵌合可能な位置に設けられている（図１参照）。
【００２７】
集塵容器２６の両側面には、ガイド突条２７が設けられている。ガイド突条２７は、集塵容器２６が容器収容室２２に収容された状態において、格子部材３１が配置された前面開口３０と平行に延在しており、容器収容室２２の内側壁面２２ａに設けられたガイド溝２４への嵌入が可能とされている。ガイド突条２７は、ガイド溝２４と協働して、集塵容器２６の容器収容室２２への着脱方向を規定するとともに、集塵容器２６が容器収容室２２に収容された際の集塵容器２６のガタを抑制する。このため、集塵容器２６が本体ケース１８から引き出されると、集塵容器２６の後端上側壁２６ａ（第２フィルタ３８）が格子部材３１に対して一定の近接状態を保ちつつ相対的にズレるように移動されることとなる。
【００２８】
集塵容器２６の底壁（集塵室３４の底壁）には、廃棄開口４１（図２参照）が設けられており、廃棄開口４１は、蓋体４２により開閉自在とされている。蓋体４２は、集塵容器２６の一方の側壁に回動可能に取り付けられており、廃棄開口４１を閉塞した状態で固定部（図示せず）に固定されることにより廃棄開口４１を封止する構成とされている。廃棄開口４１を固定する固定部（図示せず）は、ゴミ捨て開閉操作ボタン４３が押されると、固定状態を解除する構成とされている。集塵容器２６では、蓋体４２が鉛直方向下方になる姿勢でゴミ捨て開閉操作ボタン４３が押されると、固定状態が解除された蓋体４２が自重により回動して集塵室３４の底側が開放される（図６参照）。
【００２９】
集塵容器２６の傾斜上壁２６ｃは、本実施例では、格子部材３１が配置された前面開口３０と直交するように形成され、容器把持部４４が設けられている。このため、集塵容器２６は、固定解除ボタン３３ｂを押して固定手段３３による固定を解除した後、容器把持部４４を握って容器収容室２２のガイド溝２４に沿う方向に引き出すことにより、掃除機本体１１から取り外すことができる。
【００３０】
また、集塵容器２６は、本体ケース１８の着脱開口２３からガイド溝２４に沿う方向に挿入して固定手段３３の係合爪３３ａを本体ケース１８の係合凹所１８ａに嵌合させることにより、掃除機本体１１に装着することができる。
【００３１】
上記した構成に加えて、本発明に係る電気掃除機１０では、図２に示すように、掃除機本体１１に叩き部４５が設けられている。叩き部４５は、前面開口３０から容器収容室２２へ向けて突出して設けられており、容器収容室２２から集塵容器２６を抜き出す際、第２フィルタ３８の各山部分３９に接触するように、各山部分３９が位置する面よりも各谷部分４０側まで延在されている。叩き部４５は、本実施例では、図３に示すように、前面開口３０に配置された格子部材３１の上部の２個所に位置するように格子部材３１と一体的に設けられており、格子部材３１の面と直交方向に突出されている。
［動  作］
次に、電気掃除機１０の動作について説明する。
【００３２】
先ず、図２に示すように、集塵容器２６を掃除機本体１１の容器収容室２２に装着し、図１に示すように集塵ホース１４を掃除機本体１１の吸込接続口１２に接続するとともに手元操作管１３に延長管１５を介して吸込口体１６を接続する。
【００３３】
そして、電源コード１７を引き出して電源プラグ１７ａをコンセント（図示せず）に接続する。
【００３４】
この状態において、手元操作管１３の操作部１３ａの操作スイッチ１３ｂを操作して電動送風機１９を駆動させ、吸込口体１６を床面上で前後に走行させる。
【００３５】
電動送風機１９の駆動により、接続風路部２９から空気が吸い込まれて、集塵容器２６内に設けられた集塵室３４に負圧が作用し、さらにこの負圧がホース案内管３２を介して集塵ホース１４、延長管１５および吸込口体１６に作用し、吸込口体１６から空気とともに塵埃が吸引される。
【００３６】
この吸引された塵埃および空気は、延長管１５および集塵ホース１４を介して集塵容器２６の吸込接続口１２へ吸引されていく。この吸込接続口１２へ吸引された塵埃および空気は、ホース案内管３２および吸込開口３５を通って、集塵室３４の第１集塵室部３４ａへ導入される。この第１集塵室部３４ａへ導入された空気は、第１フィルタ３７を経て第２集塵室部３４ｂへと向かうこととなるが、このとき塵埃は、第１フィルタ３７を通過することが抑制され第１集塵室部３４ａの下部に蓄積される。第１フィルタ３７を通過し第２集塵室部３４ｂに導入された空気は、第２フィルタ３８を経て接続風路部２９へ向かう。このとき、空気と共に第１フィルタ３７を通過してしまった細塵は、第２フィルタ３８に捕獲され、接続風路部２９に侵入することが抑制される。接続風路部２９に吸引された空気は電動送風機１９内を通って掃除機本体１１の外部へ排気される（図２に破線で示す矢印Ｗ参照）。
【００３７】
電気掃除機１０では、集塵室３４に蓄積された塵埃を廃棄するために、集塵容器２６が掃除機本体１１（本体ケース１８）から取り外される（図２に示す二点鎖線の集塵容器２６参照）。このとき、集塵容器２６は、ガイド溝２４およびガイド突条２７により、ガイド溝２４の延在方向に沿って掃除機本体１１から引き出されることとなり（図２矢印Ｐ参照）、集塵容器２６の排出口３６に設けられた第２フィルタ３８が、本体ケース１８の前面開口３０に沿って移動される。
【００３８】
ここで、本実施例の電気掃除機１０では、前面開口３０に設けられた格子部材３１に叩き部４５が設けられているので、前面開口３０に沿って第２フィルタ３８が移動されると、第２フィルタ３８の裏面３８ｂ側から各山部分３９が順次叩き部４５に叩かれる。このため、第２フィルタ３８は、集塵容器２６に取り付けられて集塵室３４を閉成しかつ表面３８ａが集塵室３４に露出した状態で、裏面３８ｂから叩き部４５により叩かれることとなるので、捕獲することにより付着した細塵が振り落とされ、集塵室３４の外方へ落ちることなく集塵室３４の下部に蓄積される。
【００３９】
取り外された集塵容器２６を、例えば、ゴミ箱の上に持っていって開閉操作ボタン４３を押すことにより、集塵容器２６の廃棄開口４１を封止いていた蓋体４２が自重により回動して廃棄開口４１がすなわち集塵室３４が開放される（図６参照）。このため、集塵室３４の下部、すなわち第１集塵室部３４ａの下部および第２集塵室部３４ｂの下部に蓄積された塵埃を廃棄することができる。塵埃の廃棄の後、集塵容器２６は、蓋体４２が閉鎖状態とされて、掃除機本体１１（本体ケース１８）の容器収容室２２に再度挿着される。
【００４０】
本発明に係る電気掃除機１０では、掃除機本体１１から集塵容器２６を取り外す容易な作業を行うだけで第２フィルタ３８の塵埃を除去することができる。
【００４１】
また、第２フィルタ３８が、集塵容器２６に取り付けられかつ表面３８ａが集塵室３４に露出した状態で、裏面３８ｂから叩き部４５により叩かれることとなるので、捕獲することにより付着した細塵を振り落とすことができ、落とした細塵を第２集塵室部３４ｂの下部に蓄積することができる。
【００４２】
さらに、集塵容器２６に取り付けられかつ表面３８ａが集塵室３４に露出した状態の第２フィルタ３８の裏面３８ｂを叩き部４５が叩くことにより、集塵室３４に露出した表面３８ａに付着している塵埃が集塵室３４（第２集塵室部３４ｂ）に落とされる構成であることから、塵埃が落とされる場面では集塵室３４が閉成されていることとなるので、第２フィルタ３８から除去された塵埃が周囲に落ちること、すなわち第２フィルタ３８から除去された塵埃が集塵室３４の外部に飛び散ることを防止することができる。
【００４３】
集塵容器２６が、集塵室３４に蓄積された塵埃を廃棄するために、掃除機本体１１から取り外されるものであることから、使用することによる塵埃の蓄積量が増加すると掃除機本体１１から取り外されることとなるので、第２フィルタ３８への塵埃の付着量が増加すると塵埃が除去される。このため、第２フィルタ３８の塵埃の除去のための作業を特に行うことなく、掃除のために使用するだけで、第２フィルタ３８の目詰まりしていない状態を保つことができる。
【００４４】
掃除機本体１１から集塵容器２６を取り外す作業を行うだけで第２フィルタ３８の塵埃を除去することができるので、集塵容器２６から第２フィルタ３８を取り外したり、手でブラシを第２フィルタ３８に沿って動かしたりする必要がないことから、周囲および作業者の手を汚すことなく、除塵することができる。
【００４５】
第２フィルタ３８が、集塵容器２６が掃除機本体１１に装着されている際前面開口３０に沿って延在されていることから、掃除機本体１１を水平面上に設置した状態において、鉛直方向よりも前方（上流側）に傾斜しているので、振り落とされた塵埃が再度第２フィルタ３８に付着することを防止することができる。このことから、第２フィルタ３８の傾倒の度合いは、各山部分３９および各谷部分４０の傾斜角度を勘案して設定することが望ましい。
【００４６】
第２フィルタ３８が、叩き部４５により各山部分３９が順次叩かれることとなるので、実際に叩かれた個所のみならず、連続的な叩き入力により全体に振動が与えられることとなり、効率よく塵埃を落とすことができる。
【００４７】
塵埃の除去のために第２フィルタ３８を集塵容器２６から取り外す必要がないので、作業者の手が汚れることなどを防止できる。
【００４８】
本体ケース１８から取り出される際容器収容室２２の壁面と近接位置でズレるように移動可能に第２フィルタ３８を集塵容器２６に設け、かつ容器収容室２２の当該壁面から突出するように叩き部４５を設け、さらに第２フィルタ３８を集塵容器２６が本体ケース１８に対して抜き差しされる方向に沿って山部分３９と谷部分４０とが交互に隣接する構成とすることにより容易に除塵することができる。
【００４９】
第２フィルタ３８が、各山部分３９が格子部材３１に平行な略等しい面上に位置し、かつ集塵容器２６の抜き出しの際格子部材３１に対して一定の近接状態を保ちつつ相対的にズレるように移動される構成とされているので、一定形状の突起物として構成された叩き部４５で各山部分３９を確実に叩かせることができる。
【００５０】
集塵室３４から電動送風機１９へ至る風路で見て、従来の電気掃除機のようにフィルタに沿って移動可能なブラシをフィルタに設ける構成とは異なり、小さな突起物である叩き部４５が設けられている構成であることから、風路抵抗の増加を抑制することができる。特に、上記した実施例では、叩き部４５は、前面開口３０に配置された格子部材３１の面と直交方向に突出して格子部材３１に形成されていることから、集塵室３４から電動送風機１９へ至る風の流れの方向で見ると格子部材３１上に存在することとなるので、風路抵抗の増加を招くことはない。
【００５１】
したがって、本発明の電気掃除機１０では、複雑な構成を必要とすることなく、簡易な作業でフィルタに付着した塵埃を除去することができる。
【００５２】
なお、叩き部４５は、格子部材３１と一体的に設けられた突出物で構成されていたが、容器収容室２２から集塵容器２６を抜き出す際に、蛇腹状のフィルタの各山部分（本実施例では、第２フィルタ３８の各山部分３９）を叩くものであれば、例えば、板ばねで形成されていてもよく、上記した実施例に限定されるものではない。叩き部４５を板ばねで形成する場合、蛇腹状のフィルタよりも大きな剛性を有する材料で形成することが望ましい。
【００５３】
上記した実施例では、叩き部４５が蛇腹状の第２フィルタ３８のすべての山部分３９を叩くことができる構成とされていたが、第２フィルタ３８に付着した塵埃を落すべく蛇腹状であることを利用して複数の山部分を叩くことができるものであれば良く、上記した実施例に限定されるものではない。
【００５４】
上記した実施例では、集塵室３４を形成し掃除機本体１１に着脱可能な集塵部として集塵容器２６が示されていたが、塵埃が集塵される集塵室を形成し、かつ掃除機本体１１に着脱可能であり、さらに蛇腹状のフィルタが集塵室に露出するように設けられているものであれば、例えば袋状のものであってもよく、上記した実施例に限定されるものではない。
【００５５】
上記した実施例では、集塵容器２６は、直線状に抜き出されて容器収容室２２から取り外される構成であったが、掃除機本体１１に着脱可能とされかつ取り出される際に蛇腹状のフィルタの各山部分が叩かれる構成であればよく、上記した実施例に限定されるものではない。
【００５６】
電気掃除機の集塵室は、第１フィルタ３７が設けられていなくてもよく、上記した実施例に限定されるものではない。
【００５７】
上記実施例では、キャニスタ型のタイプの電気掃除機について説明したが、アップライト式の電気掃除機や、手元操作管等に塵埃分離ユニットを取り付ける電気掃除機に適用することもできる。
【００５８】
上記実施例では、一例として容器収容室に収容された集塵容器の上面が掃除機本体の上面の一部となる構成の電気掃除機を挙げたが、容器収容室に蓋が設けられ、集塵容器を収容した状態で蓋が閉じられることにより容器収容室が閉成され、蓋の上面が掃除機本体の上面の一部となる構成の電気掃除機であってもよく、上記した実施例に限定されるものではない。
【図面の簡単な説明】
【００５９】
【図１】この発明に係る電機掃除機の外観を示した模式的な斜視図である。
【図２】図１に示すＩ−Ｉに沿って得られた模式的な部分断面図である。
【図３】集塵容器が取り外された掃除機本体（本体ケース）を部分的に示す斜視図である。
【図４】集塵容器の外観を示した模式的な斜視図である。
【図５】図４の矢印Ａ方向から見た集塵容器の外観を示した模式的な斜視図である。
【図６】蓋体が開放された状態の集塵容器を示す模式的な斜視図である。
【符号の説明】
【００６０】
１０  電気掃除機
１１  掃除機本体
１９  電動送風機
２６  （集塵部としての）集塵容器
３４  集塵室
３８  （蛇腹状のフィルタとしての）第２フィルタ
３９  山部分
４０  谷部分
４５  叩き部
【図１】
2007325854.tif 000003
【図２】
2007325854.tif 000004
【図３】
2007325854.tif 000005
【図４】
2007325854.tif 000006
【図５】
2007325854.tif 000007
【図６】
2007325854.tif 000008